(57)【要約】本発明は、制御された方法で液体を人体に輸送させるための液体輸送装置に関し、かかる輸送は特に尿管及び腎臓結石の操作又は除去に対応付けられる処置に関して要求される。この液体輸送装置は、シリンジ型ポンプと、制御された一方向モードにおいて液体を供給容器から人体に供給するための供給装置と、上記シリンジ型ポンプをその動作のために解除可能に配置可能とする足踏み作動機構と、を結合させた状態で含む。液体輸送装置を使用することにより、処置を実行する人間がこの処置に要求される液体の供給を自ら制御することができる。
2004524114.tif 000002
【特許請求の範囲】
【請求項１】
シリンダ、該シリンダ内で変位可能なピストン、及び該ピストンから延出しシリンダから突出してピストンを変位させるとともに、それによりポンプを動作させることを可能にするピストンロッドを含む、シリンジ型ポンプと、
一端が液体通流するように前記シリンダに接続され、他の自由端が液体サプライに接続可能である流入管であって、前記ポンプの動作中にシリンダ方向への流れのみを許容する、前記流入管に沿って配置される一方向バルブを有する流入管と、
一端が液体通流するように前記シリンダに接続され、他の自由端が液体を人体に供給するための液体供給手段に接続可能である流出管であって、前記ポンプの動作中にシリンダからの流れのみを許容する、前記流出管に沿って配置される一方向バルブを有する流出管と、を含み、
前記シリンジ型ポンプのピストンロッド及びシリンダが、フットペダルの変位が前記ポンプの動作のために必要とされるポンプのピストンの変位をもたらす構成において、足踏み作動機構のベース部材とフットペダルとの間にポンプを取り外し可能に配置するための配置構造をそれぞれ画定する、
液体を制御された方法で人体に輸送させるための液体輸送装置。
【請求項２】
前記シリンジ型ポンプのシリンダと連通し、前記流入管及び前記流出管が接続されてそれぞれがシリンダに対し必要とされる液体通流をもたらすためのコネクタ構造を含む、請求項１に記載の液体輸送装置。
【請求項３】
前記流入管の自由端が、液体供給容器と接続可能であり、前記液体輸送装置の使用時に、液体供給容器から液体が輸送される対象の人体に対し異なる高さレベルに該容器を配置させることを可能にし、前記流入管及び前記流出管に沿って配置されるそれぞれの一方向バルブが、流入管が接続される液体供給容器の位置によって決定される、バルブに作用する水圧が使用時に所定の圧力レベルを超える場合に許容された方向に液体が流れることを可能にする、請求項１又は請求項２に記載の液体輸送装置。
【請求項４】
前記シリンジ型ポンプを作動させるための足踏み作動機構を含み、前記作動機構が、
床面に設置可能なベース部材と、
前記ベース部材に変位可能に取り付けられるフットペダルと、を含み、
前記ベース部材と前記フットペダルが、前記シリンジ型ポンプのピストンロッド及びシリンダによって各々画定される配置構造に対し相補的な配置構造をそれぞれ画定し、前記ベース部材に対する前記フットペダルの変位がポンプの動作をもたらす構成において、ベース部材とフットペダルとの間でポンプを取り外し可能に配置することを可能にする、
請求項１乃至請求項３のいずれか１つに記載の液体輸送装置。
【請求項５】
前記シリンジ型ポンプのピストンロッド及びシリンダによってそれぞれ画定される配置構造は、ピストンロッド及びシリンダのそれぞれの操作遠隔端に配置される、請求項４に記載の液体輸送装置。
【請求項６】
前記フットペダルが前記ベース部材にピボット回転可能に取り付けられ、前記配置構造が、前記シリンジ型ポンプとベース部材との間、及びシリンジ型ポンプとフットペダルとの間にそれぞれ相対ピボット運動を許容し、この相対ピボット運動がフットペダルの変位によってシリンジ型ポンプのピストンを軸方向に変位させることを可能にする、請求項４又は請求項５に記載の液体輸送装置。
【請求項７】
前記フットペダルが引っ込められた位置と押し下げられた位置との間で変位可能であり、これらの位置がシリンダ内のシリンジ型ポンプのピストンの限定位置にそれぞれ一致する、請求項４乃至請求項６のいずれか１つに記載の液体輸送装置。
【請求項８】
前記液体輸送装置の使用時に、前記ペダルを引っ込められた位置から押し下げられた位置に変位させることにより、前記シリンジ型ポンプのシリンダから液体を輸送させ、前記ペダルを押し下げられた位置から引っ込められた位置に変位させることにより、液体をシリンダ内へと輸送させる、請求項７に記載の液体輸送装置。
【請求項９】
前記足踏み作動機構が、前記フットペダルを引っ込められた位置に付勢するために前記ベース部材とフットペダルとの間で作用する付勢手段を含む、請求項８に記載の液体輸送装置。
【請求項１０】
前記足踏み作動機構が、前記ベース部材に対する前記フットペダルの完全に引っ込められた位置と完全に押し下げられた位置とを決定するためにフットペダルとベース部材との間で作用する停止装置を含む、請求項７乃至請求項９のいずれか１つに記載の液体輸送装置。
【請求項１１】
前記シリンジ型ポンプが、前記ピストンロッドを前記シリンダに対し完全に拡張された位置に付勢するための、ピストンロッド上に作用する付勢手段を含む、請求項７乃至請求項１０のいずれか１つに記載の液体輸送装置。
【請求項１２】
前記シリンジ型ポンプ、前記流入管、及び前記流出管は、該ポンプが足踏み作動機構のベース部材とフットペダルとの間において取り外し可能に配置できる廃棄処理可能な単位として提供される、請求項１乃至請求項１１のいずれか１つに記載の液体輸送装置。
【請求項１３】
床面に設置可能なベース部材と、
前記ベース部材に変位可能に取り付けられるフットペダルと、を含み、
前記ベース部材及び前記フットペダルは、足踏み作動機構が使用される液体輸送装置のシリンジ型ポンプのピストンロッドとシリンダとによって画定される配置構造のそれぞれに対し相補的な配置構造を各々画定し、ベース部材に対するフットペダルの変位が前記ポンプの動作をもたらす構成において、ベース部材とフットペダルとの間に前記ポンプを取り外し可能に配置することを許容する、
請求項１乃至請求項３のいずれか１つに記載の液体輸送装置で使用するための足踏み作動機構。
【請求項１４】
前記フットペダルが前記ベース部材にピボット回転可能に取り付けられ、前記各配置構造が、前記作動機構が使用される液体輸送装置のシリンジ型ポンプとベース部材との間、及び前記シリンジ型ポンプとフットペダルとの間にそれぞれ相対ピボット運動を許容し、この相対ピボット運動がフットペダルの変位によって前記シリンジ型ポンプのピストンをシリンダ内において軸方向に変位させることを可能にする、請求項１３に記載の足踏み作動機構。
【請求項１５】
前記フットペダルが引っ込められた位置と押し下げられた位置との間で変位可能であり、これらの位置が、前記作動機構が使用される液体輸送装置のシリンジ型タイプのシリンダ内におけるピストンの限定位置にそれぞれ一致する、請求項１３又は請求項１４に記載の足踏み作動機構。
【請求項１６】
前記作動機構が使用される液体輸送装置の使用時に、前記フットペダルを引っ込められた位置から押し下げられた位置に変位させることが、前記液体輸送装置のシリンジ型ポンプのシリンダから液体を輸送させることをもたらし、フットペダルを押し下げられた位置から引っ込められた位置に変位させることが、液体を前記シリンダ内に輸送させることをもたらす、請求項１５に記載の足踏み作動機構。
【請求項１７】
前記フットペダルを引っ込められた位置に付勢するための、前記ベース部材とフットペダルとの間に作用する付勢手段を含む、請求項１６に記載の足踏み作動機構。
【請求項１８】
前記ベース部材に対して前記フットペダルの完全に引っ込められた位置と完全に押し下げられた位置とを決定するための、フットペダルとベース部材との間に作用する停止装置を含む、請求項１５乃至請求項１７のいずれか１つに記載の足踏み作動機構。
【請求項１９】
実質的に参照される本明細書に記載され且つ添付図面に示されるような、液体を制御された方法で人体に輸送させるための液体輸送装置。
【請求項２０】
実質的に参照される本明細書に記載され且つ添付図面に示されるような、足踏み作動機構。
【発明の詳細な説明】
【技術分野】
【０００１】
本発明は、制御された方法で液体を人体に輸送させるための液体輸送装置に関する。
【背景技術】
【０００２】
種々の医療処置に関して、処置の一部として制御された方法で液体を人体へ輸送させることが要求されている。この液体の輸送は、多くの場合に処置を実行する人間の指示を受けた助手によって、シリンジ型液体輸送ポンプを用いて手動制御される。処置を実行する人間がこの処置を実行するために両手が使用可能であっても、口頭指示によって助手の手動操作を制御することは問題含みであり、処置内に面倒な事を引き起こす可能性がある。
【発明の開示】
【発明が解決しようとする課題】
【０００３】
したがって、本発明の目的は上記問題を少なくとも軽減させることである。
【課題を解決するための手段】
【０００４】
特に人体に対する液体の輸送に言及されるが、動物の体内に対する同様な輸送を要求する方法も存在する。したがって、本明細書における人体に対する液体の輸送への言及は、動物の体内への液体の輸送に対しても言及しているとして解釈されなければならない。人体に対する液体の輸送への言及が、一般には針等の液体供給手段を介して液体を人体内部に輸送させることへの言及を含むように解釈されなければならないこともまた理解される。液体が人体内部に又は人体方向に輸送されるべきかどうかを、実行される方法によって実際に判断するであろうことは明らかである。
【０００５】
本発明によって提供される、液体を制御された方法で人体に輸送させるための液体輸送装置は、
シリンダ、該シリンダ内で変位可能なピストン、及び該ピストンから延出しシリンダから突出してピストンを変位させるとともに、それによりポンプを動作させることを可能にするピストンロッドを含む、シリンジ型ポンプと、
一端が液体通流するように上記シリンダに接続され、他の自由端が液体サプライに接続可能である流入管であって、上記ポンプの動作中にシリンダ方向への流れのみを許容する、上記流入管に沿って配置される一方向バルブを有する流入管と、
一端が液体通流するように上記シリンダに接続され、他の自由端が液体を人体に供給するための液体供給手段に接続可能である流出管であって、上記ポンプの動作中にシリンダからの流れのみを許容する、上記流出管に沿って配置される一方向バルブを有する流出管と、を含み、
上記シリンジ型ポンプのピストンロッド及びシリンダが、フットペダルの変位がポンプの動作のために必要とされるポンプのピストンの変位をもたらす構成において、足踏み作動機構のベース部材とフットペダルとの間にポンプを取り外し可能に配置するための配置構造をそれぞれ画定する。
【０００６】
上記液体輸送装置は、上記シリンジ型ポンプのシリンダと連通し、上記流入管及び上記流出管が接続されてそれぞれがシリンダに対し必要とされる液体通流をもたらすためのコネクタ構造を含む。
【０００７】
上記液体輸送装置の流入管の自由端が液体供給容器と接続可能であり、液体輸送装置の使用時に、液体供給容器から液体が輸送される対象の人体に対し異なる高さレベルに該容器を設置することを可能にする。したがって、上記流入管及び上記流出管に沿って配置されるそれぞれの一方向バルブが、流入管が接続される液体供給容器の位置によって決定される、バルブに作用する水圧が使用時に所定の圧力レベルを超える場合に許容された方向に液体が流れることを可能にする。
【０００８】
本発明の液体輸送装置は、上記シリンジ型ポンプをその一部として作動させるための足踏み作動機構をさらに含み、該作動機構は、
床面に設置可能なベース部材と、
上記ベース部材に変位可能に取り付けられるフットペダルと、を含み、
上記ベース部材と上記フットペダルが、上記シリンジ型ポンプのピストンロッド及びシリンダによって各々画定される配置構造に対し相補的な配置構造をそれぞれ画定し、上記ベース部材に対する上記フットペダルの変位がポンプの動作をもたらす構成において、ベース部材とフットペダルとの間でポンプを取り外し可能に配置することを可能にする。
【０００９】
特にこのような足踏み作動機構を含む液体輸送装置で使用するために、シリンジ型ポンプのピストンロッドとシリンダによって画定されるそれぞれの配置構造は、ピストンロッド及びシリンダの各操作遠隔端に配置される。
【００１０】
足踏み作動機構のフットペダルはベース部材にピボット回転可能に取り付けられ、上記配置構造が、上記シリンジ型ポンプとベース部材との間、及びシリンジ型ポンプとフットペダルとの間にそれぞれ相対ピボット運動を許容し、この相対ピボット運動がフットペダルの変位によってシリンジ型ポンプのピストンを軸方向に変位させることを可能にする。
【００１１】
さらに、本発明によれば、上記フットペダルが引っ込められた位置及び押し下げられた位置との間で変位可能であり、これらの位置がシリンダ内のシリンジ型ポンプのピストンの限定位置にそれぞれ一致する。したがって、上記液体輸送装置の使用時に、ペダルを引っ込められた位置から押し下げられた位置に変位させることにより、シリンジ型ポンプのシリンダから液体を輸送させ、ペダルを押し下げられた位置から引っ込められた位置に変位させることにより、液体をシリンダ内へと輸送させる。
【００１２】
上記足踏み作動機構はまた、フットペダルを引っ込められた位置に付勢するためにベース部材とフットペダルとの間で作用する付勢手段を含む。さらにまた、上記足踏み作動機構は、ベース部材に対するフットペダルの完全に引っ込められた位置と完全に押し下げられた位置とを決定するためにフットペダルとベース部材との間で作用する停止装置を含む。
【００１３】
本発明の液体輸送装置のシリンジ型ポンプは、ピストンロッドをシリンダに対し完全に拡張された位置に付勢するための、ピストンロッド上に作用する付勢手段を含む。
【００１４】
本発明の液体輸送装置の好ましい実施の形態では、シリンジ型ポンプ、流入管、及び流出管が、該ポンプが使用時に足踏み作動機構のベース部材とフットペダルとの間で取り外し可能に配置できる廃棄処理可能な単位として提供される。
【００１５】
本発明はこのような足踏み作動機構にまで拡大適用し、この作動機構がここで想定されるように液体輸送装置での使用に特に適している。即ち、上記作動機構は、
床面に設置可能なベース部材と、
上記ベース部材に変位可能に取り付けられるフットペダルと、を含み、
上記ベース部材及び上記フットペダルは、足踏み作動機構が使用される液体輸送装置のシリンジ型ポンプのピストンロッドとシリンダとによって画定される配置構造のそれぞれに対し相補的な配置構造を各々画定し、ベース部材に対するフットペダルの変位が上記ポンプの動作をもたらす構成において、ベース部材とフットペダルとの間にポンプを取り外し可能に配置できるようにする。
【００１６】
かかる足踏み作動機構では、上記フットペダルが上記ベース部材にピボット回転可能に取り付けられ、上記各配置構造が、上記作動機構が使用される液体輸送装置のシリンジ型ポンプとベース部材との間、及びシリンジ型ポンプとフットペダルとの間にそれぞれ相対ピボット運動を許容し、この相対ピボット運動がフットペダルの変位によってシリンジ型ポンプのピストンをシリンダ内において軸方向に変位させることを可能にする。
【００１７】
かかる足踏み作動機構においても、フットペダルが引っ込められた位置と押し下げられた位置との間で変位可能であり、これらの位置が、上記作動機構が使用される液体輸送装置のシリンジ型タイプのシリンダ内におけるピストンの限定位置にそれぞれ一致する。
【００１８】
作動機構が使用される液体輸送装置の使用時に、該作業機構のフットペダルを引っ込められた位置から押し下げられた位置に変位させることは、液体輸送装置のシリンジ型ポンプのシリンダから液体を輸送させることをもたらし、フットペダルを押し下げられた位置から引っ込められた位置に変位させることは、液体を前記シリンダ内に輸送させることをもたらす。
【００１９】
足踏み作動機構はまた、フットペダルを引っ込められた位置に付勢するための、ベース部材とフットペダルとの間に作用する付勢手段を含む。さらにまた、足踏み作動機構は、ベース部材に対して完全に引っ込まれた位置と完全に押し下げられた位置とを決定するための、フットペダルとベース部材との間に作用する停止装置を含む。
【００２０】
ここで想定されるように流入管と流出管とを液体輸送装置のシリンジ型ポンプに接続するモードに関しては特に、これらの管が上記ポンプのシリンダに対して永続的に接続されたり、あるいは解除可能に接続されるものでもよい。
【００２１】
本発明の使用方法及びその使用に対応付けられる利益を含む、本発明の更なる特徴は、添付の図面により示された実例を参照して以下に説明される。
【発明を実施するための最良の形態】
【００２２】
図面を参照すると、本発明による液体輸送装置が概して参照番号１０によって示されている。この装置１０は、参照番号１２によって示される液体輸送手段と、この液体輸送手段１２を作動するための、参照番号１４によって示される作動機構を含む。
【００２３】
液体輸送装置は特に、概して液体供給袋１６の高さを調整可能とする支持スタンド１８によって図に示された高い位置に吊り下げられる液体供給袋１６から制御された方法で人体に対し液体を輸送させるように適合され、以下でさらに詳細に説明される。図１は、ベッド構造２２に横たわり、液体を袋１６から身体に供給させることを必要とする医療処置を要求する患者の身体２０の一般的な位置も示している。
【００２４】
液体輸送手段１２は詳しくは、シリンジ型ポンプから構成され、該ポンプはシリンダ２４、該シリンダ内で変位可能なピストン２６、及び該ピストン２６から延出するとともにシリンダ２４から突出し、シリンダ２４内におけるピストン２６の変位を可能にするピストンロッド２８を含む。シリンダ２４の端部３０はコネクタ構造３２で成端し、シリンダ２４の残りに対し液体通流し、コネクタ構造３２は図示のように、液体通流するように接続される流入管３４及び流出管３６を有する。
【００２５】
液体輸送装置１０を使用する際に、流入管３４は図示のように液体供給袋１６と接続され、この袋１６からシリンダ２４への流れのみを許容する、流入管３４に沿って配置される一方向バルブ３８を有する。流出管３６もまた、流出管に沿って配置される一方向バルブ４０を有し、該バルブ４０は、一般には液体供給手段（図示せず）を介してシリンダ２４から患者の身体２０への流れのみを許容する。上記液体供給手段には、流出管３６の自由端が接続され、人体２０に対する必要な液体の供給を許容する。
【００２６】
作動機構１４は、フットペダル４４が回転可能に取り付けられたベース部材４２を含む。バネ４６は、フットペダルを図のように完全に引っ込められた位置に付勢するためにベース部材とフットペダルとの間で作用する。
【００２７】
さらに、第１の停止構造４８及び第２の停止構造５０を含む停止装置は、ベース部材４２に対するペダル４４の完全に引っ込められた位置と完全に押し下げられた位置とをそれぞれ画定するように設けられ、これらの位置は、シリンジ型ポンプのシリンダ２４内のピストン２６の限定位置と本質的に一致する。
【００２８】
図２に詳細に示されるように、液体輸送手段１２のピストンロッド２８の端部は配置構造５４を有し、この配置構造５４は、ベース部材４２に対して回転可能に配置される相補的配置構造５６と協働し、ベース部材４２に対するピストンロッド２８の端部を解除可能にピボット回転式に配置する。シリンダ２４の端部３０に配置されるコネクタ構造３２そのものが、特に図示のような構成において、フットペダル４４の自由端付近に設けられた相補的配置構造５８内に回転可能に配置される配置構造を画定し、それによってシリンダ２４とフットペダル４４との間に相対回転変位を可能とする。ベース部材４２及びフットペダル４４から解除可能であるように、液体輸送手段１２は容易に取り外しができるが、上述された回転による変位は、ピストンに作用する横からの過度の力なしに、ベース部材４２に対するフットペダル４４の変位によるシリンダ２４内部におけるピストン２６の変位を可能にする。
【００２９】
液体輸送装置１０が、足踏み操作によって、袋１６から患者の身体２０へ液体を輸送可能とし、フットペダル４４を図示の位置から押し下げられた位置に変位させることにより、シリンダ２４から患者の身体２０へ液体を輸送させるようにするのに対し、フットペダル４４を逆方向に変位させると、更なる液体が袋１６からシリンダ２４内へと輸送されるようになる。
【００３０】
一方向バルブ３８及び４０は詳細には、袋１６が吊り下げられる高さによって決定されるこれらバルブに作用する水圧によって流量が決定されている、画定された流動経路内を液体が永続的に流れることをも許容するように構成される。この高さの調整を可能にすることによって、連続流量が異なる可能性があり、特に袋１６を患者の人体２０よりも下の高さに吊り下げることによって連続した流れが停止することになる。
【００３１】
シリンジ型ポンプが従来のシリンジ型構造のものであってもよいが、流入管３４と流出管３６がポリ塩化ビニールやラテックスゴム等から作られることが想定される。この点について、液体輸送手段１２全体が廃棄処理可能であり、この手段が作動機構１４から解除可能であることは、この廃棄処分、及びそれぞれの患者及び／又は使用される種々の液体に対応付けて新鮮な液体輸送手段の使用を容易にする。
【００３２】
本出願人は、本発明の液体輸送装置が、尿管に入るような細長い範囲を必然的に伴う、尿道鏡検査、及び尿管／腎臓結石の操作又は除去に対応付けられる各処置での使用に特に好適であることを確信する。液体は結石を除去するための経路内に輸送されることができ、次には該経路から引き戻される結石を保持することを可能にする。この処置を実行する人間自らが液体輸送装置、詳しくは液体輸送の割合、を操作することができる範囲において、液体輸送の制御が容易化され、これらの処置に対応付けられる既知の問題が軽減される。停止構造４８はこの点について、フットペダル４４（図１参照）に対して、処置を実行する人間の足の位置を最適化する役目を果たす。即ち、足の位置は、処置を実行する間にシリンジ型ポンプの動作を最大限に制御することになる。
【００３３】
ピストンロッドを図示のように拡張された状態に付勢するための液体供給手段１２のピストンロッド上で作用するようにバネ（図示せず）を付与することによって、液体供給手段１２もまた、作動機構１４から分離される時は、必要があればいつでも手動で使用することができる。
【００３４】
作動機構１４それ自体は、例えばステンレス鋼等の種々の材料で構成されることができ、配置構造５６及び５８は、上述の構成において液体供給手段１２を収容するのに特に適合される。
【図面の簡単な説明】
【００３５】
【図１】本発明による液体輸送装置の概略図である。
【図２】図１の液体輸送装置の主要部を詳細に示す側面図である。
【国際公開パンフレット】
2004524114.tif 000003
2004524114.tif 000004
2004524114.tif 000005
2004524114.tif 000006
2004524114.tif 000007
2004524114.tif 000008
2004524114.tif 000009
2004524114.tif 000010
2004524114.tif 000011
2004524114.tif 000012
2004524114.tif 000013
2004524114.tif 000014
2004524114.tif 000015
2004524114.tif 000016
2004524114.tif 000017
2004524114.tif 000018
2004524114.tif 000019
2004524114.tif 000020
2004524114.tif 000021
【手続補正書】
【提出日】平成15年2月3日(2003.2.3)
【手続補正１】
【補正対象書類名】特許請求の範囲
【補正対象項目名】全文
【補正方法】変更
【補正の内容】
【特許請求の範囲】
【請求項１】
シリンダ、該シリンダ内で変位可能なピストン、及び該ピストンから延出しシリンダから突出してピストンを変位させるとともに、それによりポンプを動作させることを可能にするピストンロッドを含む、シリンジ型ポンプと、
一端が液体通流するように前記シリンダに接続され、他の自由端が液体サプライに接続可能である流入管であって、前記ポンプの動作中に、シリンダ方向への流れのみを許容する、前記流入管に沿って配置される一方向バルブを有する流入管と、
一端が液体通流するように前記シリンダに接続され、他の自由端が液体を人体に供給するための液体供給手段に接続可能である流出管であって、前記ポンプの動作中にシリンダからの流れのみを許容する、前記流出管に沿って配置される一方向バルブを有する流出管と、を含み、
前記シリンジ型ポンプのピストンロッドの自由端、及びこのピストンロッドの自由端から操作上離れているシリンジ型ポンプのシリンダの端部はそれぞれ配置構造を組み込み、これら配置構造は、足踏み作動機構のベース部材に対するフットペダルの変位がポンプを動作させるためにポンプのピストンを変位させる構成において、前記ベース部材と前記フットペダルとの間にシリンジ型ポンプを解除可能に配置するための、前記ベース部材と前記フットペダルのそれぞれに設けられる相補的配置構造と協動することを可能にする、
液体を制御された方法で人体に輸送するための液体輸送装置。
【請求項２】
前記シリンジ型ポンプのシリンダと連通し、前記流入管及び前記流出管が接続されてそれぞれがシリンダに対し必要とされる液体通流をもたらすためのコネクタ構造を含む、請求項１に記載の液体輸送装置。
【請求項３】
前記流入管の自由端が、液体供給容器と接続可能であり、前記液体輸送装置の使用時に、液体供給容器からの液体が輸送される対象の人体に対し異なる高さレベルに容器を配置させることを可能にし、前記流入管及び前記流出管に沿って配置されるそれぞれの一方向バルブが、流入管が接続される液体供給容器の位置によって決定される、バルブに作用する水圧が使用時に所定の圧力レベルを超える場合に許容された方向に液体が流れることを可能にする、請求項１又は請求項２に記載の液体輸送装置。
【請求項４】
前記シリンジ型ポンプを作動させるための足踏み作動機構を含み、前記作動機構が、
床面に設置可能なベース部材と、
前記ベース部材に変位可能に取り付けられるフットペダルと、を含み、
前記ベース部材と前記フットペダルが、前記シリンジ型ポンプのピストンロッドにおける自由端と、このピストンロッドの自由端から離れているシリンジ型ポンプのシリンダの端部と、によって各々組み込まれる配置構造の異なる１つに対し相補的な配置構造をそれぞれ画定し、前記ベース部材に対する前記フットペダルの変位がポンプの動作をもたらす構成において、ベース部材とフットペダルとの間でポンプを解除可能に配置することを可能にする、
請求項１乃至請求項３のいずれか１つに記載の液体輸送装置。
【請求項５】
前記フットペダルが前記ベース部材にピボット回転可能に取り付けられ、前記配置構造が、前記シリンジ型ポンプとベース部材との間、及びシリンジ型ポンプとフットペダルとの間にそれぞれ相対ピボット運動を許容し、この相対ピボット運動がフットペダルの変位によってシリンジ型ポンプのピストンを軸方向に変位させることを可能にする、請求項４に記載の液体輸送装置。
【請求項６】
前記フットペダルが引っ込められた位置と押し下げられた位置との間で変位可能であり、これらの位置がシリンダ内のシリンジ型ポンプのピストンの限定位置にそれぞれ一致する、請求項４又は請求項５に記載の液体輸送装置。
【請求項７】
前記液体輸送装置の使用時に、前記ペダルを引っ込められた位置から押し下げられた位置に変位させることにより、前記シリンジ型ポンプのシリンダから液体を輸送させ、前記ペダルを押し下げられた位置から引っ込められた位置に変位させることにより、液体をシリンダ内へと輸送させる、請求項６に記載の液体輸送装置。
【請求項８】
前記足踏み作動機構が、前記フットペダルを引っ込められた位置に付勢するために前記ベース部材とフットペダルとの間で作用する付勢手段を含む、請求項７に記載の液体輸送装置。
【請求項９】
前記足踏み作動機構が、前記ベース部材に対する前記フットペダルの完全に引っ込められた位置と完全に押し下げられた位置とを決定するためにフットペダルとベース部材との間で作用する停止装置を含む、請求項６乃至請求項８のいずれか１つに記載の液体輸送装置。
【請求項１０】
前記シリンジ型ポンプが、前記ピストンロッドを前記シリンダに対し完全に拡張された位置に付勢するための、ピストンロッドに作用する付勢手段を含む、請求項６乃至請求項９のいずれか１つに記載の液体輸送装置。
【請求項１１】
前記シリンジ型ポンプ、前記流入管、及び前記流出管は、該ポンプが足踏み作動機構のベース部材とフットペダルとの間で取り外し可能に配置できる廃棄処理可能な単位として提供される、請求項１乃至請求項１０のいずれか１つに記載の液体輸送装置。
【請求項１２】
床面に設置可能なベース部材と、
前記ベース部材に変位可能に取り付けられるフットペダルと、を含み、
前記ベース部材及び前記フットペダルが、足踏み作動機構が使用される液体輸送装置のシリンジ型ポンプのピストンロッド及びシリンダの各遠隔端に組み込まれる配置構造のそれぞれに対し相補的な配置構造を各々画定し、ベース部材に対するフットペダルの変位が前記ポンプの動作をもたらす構成において、ベース部材とフットペダルとの間に前記ポンプを取り外し可能に配置することを許容する、請求項１乃至請求項３のいずれか１つに記載の液体輸送装置で使用するための足踏み作動機構。
【請求項１３】
前記フットペダルが前記ベース部材にピボット回転可能に取り付けられ、前記各配置構造が、前記作動機構が使用される液体輸送装置のシリンジ型ポンプとベース部材との間、及び前記シリンジ型ポンプとフットペダルとの間にそれぞれ相対ピボット運動を許容し、この相対ピボット運動がフットペダルの変位によって前記シリンジ型ポンプのピストンをシリンダ内において軸方向に変位させることを可能にする、請求項１２に記載の足踏み作動機構。
【請求項１４】
前記フットペダルが引っ込められた位置と押し下げられた位置との間で変位可能であり、これらの位置が、前記作動機構が使用される液体輸送装置のシリンジ型タイプのシリンダ内でピストンの限定位置にそれぞれ一致する、請求項１２又は請求項１３に記載の足踏み作動機構。
【請求項１５】
前記作動機構が使用される液体輸送装置の使用時に、前記フットペダルを引っ込められた位置から押し下げられた位置に変位させることが、前記液体輸送装置のシリンジ型ポンプのシリンダから液体を輸送させることをもたらし、フットペダルを押し下げられた位置から引っ込められた位置に変位させることが、液体を前記シリンダ内に輸送させることをもたらす、請求項１４に記載の足踏み作動機構。
【請求項１６】
前記フットペダルを引っ込められた位置に付勢するための、前記ベース部材とフットペダルとの間に作用する付勢手段を含む、請求項１５に記載の足踏み作動機構。
【請求項１７】
前記ベース部材に対して前記フットペダルの完全に引っ込められた位置と完全に押し下げられた位置とを決定するための、フットペダルとベース部材との間に作用する停止装置を含む、請求項１４乃至請求項１６のいずれか１つに記載の足踏み作動機構。
【請求項１８】
実質的に参照される本明細書に記載され且つ添付の図面に示されるような、液体を制御された方法で人体に輸送させるための液体輸送装置。
【請求項１９】
実質的に参照される本明細書に記載され且つ添付の図面に示されるような、足踏み作動機構。
【国際調査報告】
2004524114.tif 000022
2004524114.tif 000023
2004524114.tif 000024
2004524114.tif 000025